(57)【要約】  本発明の目的は、作業性が優れ、おむつ替え作業が容易なおむつ替えマットを提供することである。本発明のおむつ替えマットは、おむつに脱着可能な面ファスナ（１０１〜１０５及び１０１’〜１０５’）と、面ファスナ（１０１〜１０５及び１０１’〜１０５’）が固定されたマット（１１）とを具備している。面ファスナ（１０１〜１０５及び１０１’〜１０５’）は、使い捨ておむつに使用される不織布に脱着可能な面ファスナの凸部材であることが望ましい。ここで、面ファスナの凸部材とは、鍵状やキノコ形状などの凸状の係合部材が多数付設されているシート等のことである。面ファスナ（１０１〜１０５及び１０１’〜１０５’）により、おむつ（２）を展開した状態でマット（１１）に固定することができるため、おむつの交換作業が容易になる。【特許請求の範囲】
【請求項１】
おむつに脱着可能な面ファスナと、
前記面ファスナが固定されたマットと
を具備する
おむつ替えマット。
【請求項２】
請求の範囲１のおむつ替えマットであって、
前記面ファスナは、使い捨ておむつに使用される不織布に脱着可能な面ファスナの凸部材である
おむつ替えマット。
【請求項３】
請求の範囲２のおむつ替えマットであって、
前記マットに取り付けられている保護カバーを具備し、
前記保護カバーは、前記面ファスナに脱着可能な不織布により形成されている止着面を有しており、
前記保護カバーは前記面ファスナを覆うことが可能である
おむつ替えマット。
【請求項４】
請求の範囲１のおむつ替えマットであって、
前記面ファスナは、前記マットが有する二つの主面の一方の複数箇所に設けられている
おむつ替えマット。
【請求項５】
請求の範囲１のおむつ替えマットであって、
前記マットを収納可能な携行用バッグを具備し、
前記マットは折り畳みが可能であり、
前記マットは前記携行用バッグの内側に結合されている
おむつ替えマット。
【請求項６】
請求の範囲１のおむつ替えマットであって、
前記マットに取り付けられている物入れを具備する
おむつ替えマット。
【請求項７】
請求の範囲１のおむつ替えマットであって、
前記マットは、前記マットが床面に対して滑ることを防ぐための滑り止めを有している
おむつ替えマット。
【請求項８】
折り畳み可能なマット本体と、
前記マット本体を収納可能な携行用バッグと
を具備し、
前記マット本体は前記携行用バッグの内側に結合されている
おむつ替えマット。
【請求項９】
主マットと、
前記主マットに取り付けられている延長用マットと
を具備し、
前記延長用マットは、前記主マットに対して相対的に移動可能である
おむつ替えマット。
【請求項１０】
主マットと、
前記主マットに取り付けられている膝用パッドと
を具備し、
前記主マットは、短辺と長辺とを有する略矩形形状であり、
前記膝用パッドは、二つのコーナー部分に一つずつ取り付けられており、
前記二つのコーナー部分は、前記主マットの四つのコーナー部分から選択される二つであって、前記短辺の両端に位置しており、
前記膝用パッドは、前記主マットに対して相対的に移動可能である
おむつ替えマット。
【請求項１１】
主マットと、
前記主マットに取り付けられている物入れと
を具備する
おむつ替えマット。
【請求項１２】
主マットと、
前記主マットの裏面に設けられた滑り止めと
を具備する
おむつ替えマット。
【発明の詳細な説明】
【技術分野】
【０００１】
本発明は、おむつ交換の際におむつ着用者の下に敷いて使用するおむつ替えマットに関する。
【背景技術】
【０００２】
従来、おむつ交換の際に乳幼児の下に敷いて使用するおむつ替えマットが知られている。乳幼児のおむつ交換においては、乳幼児の拘束に片手が占有され、片手による作業の不安定さから作業が遅延する等の問題がある。特開２００５−２１６２５号公報には、折畳み可能な布状マット本体の中央部に着脱可能に取り付けた硬質のプレート体に、乳幼児の胴部を拘束する固定ベルトを取り付けた硬質板を、前傾斜可能になるように一端で固定する構造、及び、プレート体の側部がプレート体の拡幅を可能になるように分離する構造を有することにより、おむつ交換における問題を解決する乳幼児のおむつ交換用具が記載されている。【０００３】
また、特開平８−１５４９７４号公報には、液透過性の表面シートと、液不透過性の裏面シートと、これら両シート間に介在する吸収体と、装着時におむつを固定するためのファスニングテープとを具備し、裏面シートの表面にはファスニングテープを粘着させるためのターゲットテープはなく、ファスニングテープは裏面シートの表面に粘着される使い捨ておむつが開示されている。この使い捨ておむつにおいては、ファスニングテープをターゲットテープ上に貼るという制約を受けないため、おむつのサイズを自由に調整することが可能である。【０００４】
さらに、特開平１０−５７４１３号公報には、バックシートの表面に不織布が用いられており、バックシートに再止着可能に止着可能な止着部を具備する展開型の使い捨ておむつが開示されている。そして、特開平１０−５７４１３号公報には、止着部として鍵状やキノコ形状などの凸状の係合部材が多数付設されているシート等の公知の（市販の）面ファスナの凸部材を特に制限なく用いることができると記載されている。
【発明の開示】
【０００５】
本発明の目的は、作業性が優れ、おむつ替え作業が容易なおむつ替えマットを提供することである。
【０００６】
本発明のおむつ替えマットは、おむつに脱着可能な面ファスナ（１０１〜１０５及び１０１’〜１０５’）と、面ファスナ（１０１〜１０５及び１０１’〜１０５’）が固定されたマット（１１）とを具備している。
【０００７】
本発明のおむつ替えマットにおいては、面ファスナ（１０１〜１０５及び１０１’〜１０５’）は、使い捨ておむつに使用される不織布に脱着可能な面ファスナの凸部材であることが好ましい。
【０００８】
本発明のおむつ替えマットは、マット（１１）に取り付けられている保護カバー（４１）を具備してもよい。保護カバー（４１）は、面ファスナ（１０１〜１０５及び１０１’〜１０５’）に脱着可能な不織布により形成されている止着面を有している。保護カバー（４１）は面ファスナ（１０１〜１０５及び１０１’〜１０５’）を覆うことが可能である。
【０００９】
本発明のおむつ替えマットにおいては、面ファスナ（１０１〜１０５及び１０１’〜１０５’）は、マット（１１）が有する二つの主面の一方の複数箇所に設けられていることが好ましい。
【００１０】
本発明のおむつ替えマットにおいては、マット（１１）は略矩形であってもよい。複数箇所から選択される２箇所（例えば面ファスナ（１０５、１０５’）が設けられた場所）は、マット（１１）の長辺（１１ｘ、１１ｚ）に平行であるマット（１１）の中心線に対して対称な配置となっていることが好ましい。
【００１１】
本発明のおむつ替えマットは、マット（１１）を収納可能な携行用バッグ（５１）を具備していることが好ましい。この場合、マット（１１）は、折り畳みが可能であり、携行用バッグ（５１）の内側に結合されている。
【００１２】
本発明のおむつ替えマットは、マット（１１）に取り付けられている延長用マット（２１）を具備していることが好ましい。延長用マット（２１）は、マット（１１）に対して相対的に移動可能である。
【００１３】
本発明のおむつ替えマットは、マット（１１）に取り付けられている膝用パッド（８１、９１）を具備していることが好ましい。この場合、マット（１１）は、短辺（１１ｙ）と長辺とを有する略矩形形状である。膝用パッド（８１、９１）は、二つのコーナー部分に一つずつ取り付けられている。ここで、二つのコーナー部分は、マット（１１）の四つのコーナー部分から選択される二つであって、短辺（１１ｙ）の両端に位置している。膝用パッド（８１、９１）は、マット（１１）に対して相対的に移動可能であることが好ましい。
【００１４】
本発明のおむつ替えマットは、マット（１１）に取り付けられている物入れ（３５〜３８、６１、７１）を具備していることが好ましい。
【００１５】
本発明のおむつ替えマットにおいては、マット（１１）は、マット（１１）が床面に対して滑ることを防ぐための滑り止め（１１０）を有していることが好ましい。
【００１６】
また、本発明のおむつ替えマットは、折り畳み可能なマット本体（１０）と、マット本体（１０）を収納可能な携行用バッグ（５１）とを具備している。ここで、マット本体（１０）は携行用バッグ（５１）の内側に結合されていることが好ましい。
【００１７】
また、本発明のおむつ替えマットは、主マット（１１）と、主マット（１１）に取り付けられている延長用マット（２１）とを具備している。ここで、延長用マット（２１）は、主マット（１１）に対して相対的に移動可能であることが好ましい。
【００１８】
本発明のおむつ替えマットにおいては、主マット（１１）は短辺と長辺（１１ｘ、１１ｚ）とを有する略矩形形状であることが好ましい。そして、延長用マット（２１）は、主マット（１１）に対して長辺（１１ｘ、１１ｚ）に平行な方向に移動可能であることが好ましい。
【００１９】
また、本発明のおむつ替えマットは、主マット（１１）と、主マット（１１）に取り付けられている膝用パッド（８１、９１）とを具備している。主マット（１１）は、短辺（１１ｙ）と長辺とを有する略矩形形状である。膝用パッド（８１、９１）は、二つのコーナー部分に一つずつ取り付けられている。ここで、二つのコーナー部分は、主マット（１１）が有する四つのコーナー部分から選択される二つであって、短辺（１１ｙ）の両端に位置している。そして、膝用パッド（８１、９１）は、主マット（１１）に対して相対的に移動可能であることが好ましい。
【００２０】
本発明のおむつ替えマットは、膝用パッド（８１、９１）を主マット（１１）に対して脱着可能に固定する固定部（９４〜９６）を具備していることが好ましい。固定部（９４〜９６）は、膝用パッド（８１、９１）を主マット（１１）の第１位置（９５）と第１位置（９５）とは異なる第２位置（９６）とに固定するものである。
【００２１】
また、本発明のおむつ替えマットは、主マット（１１）と、主マット（１１）に取り付けられている物入れ（３５〜３８、６１、７１）とを具備している。
【００２２】
本発明のおむつ替えマットにおいては、物入れ（３７、３８）は、第１部分（３１、３３）と第２部分（３２、３４）とを有していることが好ましい。第１部分（３１、３３）及び第２部分（３２、３４）は、ともにシート状部材である。ここで、第１部分（３１、３３）及び第２部分（３２、３４）のそれぞれにおいては、シート状部材の３辺（３３ａ、３３ｂ、３３ｄ、及び、３４ｂ、３４ｃ、３４ｄ）が主マット（１１）の表面に固定され、残りの１辺は主マット（１１）に固定されずに開口部（３３ｃ、３４ａ）を形成している。そして、第１部分（３１、３３）と第２部分（３２、３４）とは、互いの開口部（３３ｃ、３４ａ）を向かい合わせた状態で隣接して配置されている。ここで、主マット（１１）の表面は、主マット（１１）が有する二つの主面の一方である。
【００２３】
また、本発明のおむつ替えマットは、主マット（１１）と、主マット（１１）の裏面に設けられた滑り止め（１１０）とを具備している。滑り止め（１１０）によって、主マット（１１）が床面に対して滑ることが防がれる。
【００２４】
本発明によれば、作業性が優れ、おむつ替え作業が容易なおむつ替えマットが提供される。
【図面の簡単な説明】
【００２５】
【図１】図１は、本発明の実施例に係るおむつ替えマットの使用状態を示す図である。
【図２】図２は、本発明の実施例に係るおむつ替えマットの正面図である。
【図３】図３は、本発明の実施例に係るおむつ替えマットの裏面図である。
【図４】図４は、本発明の実施例に係るおむつ替えマットにおいて、主マットと延長用マットとの取り付け状態を説明するための図である。
【図５】図５は、本発明の実施例に係るおむつ替えマットにおいて、主マットの下部を示す拡大図である。
【図６】図６は、本発明の実施例に係るおむつ替えマットにおいて、マット本体を途中まで畳んだ状態を示す図である。
【図７】図７は、本発明の実施例に係るおむつ替えマットにおいて、マット本体を畳んだ状態を示す図である。
【図８】図８は、本発明の実施例に係るおむつ替えマットにおいて、マット本体を携行用バッグに収納した状態を示す図である。
【発明を実施するための最良の形態】
【００２６】
添付図面を参照して、本発明によるおむつ替えマットを実施するための実施例を以下に説明する。【００２７】
図１に本発明の実施例に係るおむつ替えマットの使用状態を示す。本発明の実施例に係るおむつ替えマットは、おむつ替えマット本体１０と、おむつ替えマット本体１０を収納するための携行用バッグ５１とを具備している。おむつ替えマット本体１０は、主マット１１と、延長用マット２１と、膝用パッド８１及び９１と、保護カバー４１とを具備している。主マット１１は、略矩形形状をしており、主マット１１を長辺方向に３等分した主マット上部１１ａ、主マット中央部１１ｂ、及び主マット下部１１ｃの３つの部分を有している。主マット上部１１ａ、主マット中央部１１ｂ、及び主マット下部１１ｃはこの順番の配置となっている。延長用マット２１は、主マット上部１１ａとほぼ同形状であり、延長をしていない状態では主マット上部１１ａの上に重なった状態である。延長用マット２１は、主マット１１の長辺方向に移動可能なように主マット上部１１ａに取り付けられている。図１は、延長用マット２１を最大に引き出してマットを延長した状態を示している【００２８】
主マット１１と延長用マット２１とは、クッション性を有しており、その表面は、綿パイル地のような肌触りが良く吸水性を有する素材により形成されている。また、マット本体１０は折り畳み可能となされている。【００２９】
なお、本明細書においては、主マット１１、延長用マット２１、並びに膝用パッド８１及び９１は二つの主面を有しており、二つの主面のうちおむつ替えマットの使用時（図１参照）において上側となる面が表面であり、下側となる面が裏面である。【００３０】
主マット上部１１ａには、予備おむつ入れ６１及び７１が取り付けられている。予備おむつ入れは、図１に示されている展開状態と後述する収納状態をとり得る。【００３１】
主マット１１の長辺の一方を形成している第２周縁部１１ｘにおいては、主マット中央部１１ｂに属する部分に携行用バッグ５１とベルト４４とが取り付けられている。主マット１１は、携行用バッグ５１の内側に縫合により結合されている。ベルト４４は先端にボタンホールを有している。ベルト４４は後述するボタン４５と係合する。主マットの長辺の他方を形成している第４周縁部１１ｚにおいては、主マット中央部１１ｂに属する部分に保護カバー取り付け用ループ４３が設けられている。保護カバー取り付け用ループ４３が設けられている位置と、ベルト４４が取り付けられている位置とは、主マット１１の長辺に平行な中心線に対して対称である。保護カバー取り付け用ループ４３には、保護カバー４１が連結部４２により取り付けられている。連結部４２は、紐又はテープ状部材であり、保護カバー取り付け用ループ４３と保護カバー４１のスリット４１ａとに通されている。【００３２】
主マット下部１１ｃの表面には、物入れ３５〜３８が設けられている。また、膝用パッド８１及び９１は、主マット下部１１ｃの二つのコーナー部分にそれぞれ取り付けられている。この二つのコーナー部分は、主マット１１の短辺の一方である第３周縁部１１ｙの両端に位置している。膝用パッド８１及び９１は、主マット下部１１ｃに対して相対的に移動可能である。また、膝用パッド８１及び９１はクッション性を有している。【００３３】
図１においては、乳幼児１は主マット１１の上に仰向けになっている。乳幼児１の頭及び腰は、主マット上部１１ａ及び主マット中央部１１ｂの上にそれぞれ位置している。乳幼児１の腰と主マット中央部１１ｂとの間にはおむつ２が展開された状態で敷かれている。おむつ替えマットを床に敷いた場合においては、母親等のおむつを交換する者は、両膝を膝用パッド８１及び９１にそれぞれ載せた姿勢で乳幼児１のおむつを交換する。【００３４】
図２は、本発明の実施例に係るおむつ替えマットの正面図を示している。図２においては、延長用マット２１は主マット上部１１ａの上に重なった状態である。また、予備おむつ入れ７１は、主マット上部１１ａの裏側に収納された収納状態である。【００３５】
主マット中央部１１ｂの表面には、面ファスナ１０１〜１０５及び１０１’〜１０５’が設けられている。ファスナ１０１、１０２、１０１’、１０２’は面ファスナ１０４、１０５、１０４’、１０５’に対して主マット上部１１ａ側に位置し、面ファスナ１０３、１０３’は面ファスナ１０４、１０５、１０４’、１０５’に対して主マット下部１１ｃ側に位置している。面ファスナ１０１、１０２、１０１’、１０２’はおむつ２の後身頃２ａを固定可能なように位置が定められており、面ファスナ１０４、１０５、１０４’、１０５’はおむつ２の股下部２ｂの両サイドに設けられているギャザー部分を広げた状態で固定可能なように位置が定められており、面ファスナ１０３、１０３’はおむつ２の前身頃２ｃを固定可能なように位置が定められている。ここで、面ファスナ１０１〜１０５の各々と、面ファスナ１０１〜１０５と符号が対応している面ファスナ１０１’〜１０５’の各々とは、主マット１１の長辺に平行な中心線に対して対称に位置している。このように面ファスナ１０１〜１０５及び１０１’〜１０５’が主マット１１の中心線に対して対称であるために、おむつ２を左右に展開した状態で主マット１１に固定することができる。【００３６】
面ファスナ１０１〜１０５及び１０１’〜１０５’としては、公知の（市販の）面ファスナの凸部材を用いることが可能である。面ファスナの凸部材は、鍵状やキノコ形状などの凸状の係合部材が多数付設されているシート状の部材である。面ファスナ１０１〜１０５及び１０１’〜１０５’は、展開型使い捨ておむつのバックシートの表面に用いられている不織布に対して再止着可能（脱着可能）に止着する。ここで、バックシートの表面とは、図１及び図２において主マット１１の表面に対向して接しているおむつ２の外側面のことである。【００３７】
面ファスナ１０１〜１０５及び１０１’〜１０５’により、おむつ２を縦方向と横方向とに展開した状態で主マット１１に固定することができるため、おむつの交換作業が容易になる。【００３８】
図２に示すように、面ファスナ１０１、１０３、１０５、１０１’、１０３’、及び１０５’は、主マット１１の短辺方向に一定の範囲を占めている。また、おむつ２の後身頃２ａを固定するための面ファスナ１０１（１０１’）及び面ファスナ１０２（１０２’）は、主マット１１の長辺方向に異なる位置に設けられている。同様に、おむつ２のギャザー部分を固定するための面ファスナ１０４（１０４’）及び面ファスナ１０５（１０５’）は、主マット１１の長辺方向に異なる位置に設けられている。したがって、本発明の実施例に係るおむつ替えマットにおいては、大小様々なサイズのおむつを主マット１１に固定することが可能である。【００３９】
保護カバー４１は、略矩形のシート形状をしており、その大きさは主マット中央部１１ｂの表面よりも若干小さい。したがって、保護カバー４１を主マット中央部１１ｂの表面に載せて面ファスナ１０１〜１０５及び１０１’〜１０５’の全体を覆うことが可能であり、このとき保護カバー４１は主マット中央部１１ｂからはみ出さない。保護カバー４１の一方の面（止着面）は、面ファスナ１０１〜１０５及び１０１’〜１０５’に止着可能な不織布により形成されている。保護カバー４１の止着面と面ファスナ１０１〜１０５及び１０１’〜１０５’との止着は脱着可能である。本発明の実施例に係るおむつ替えマットを使用しないときは、保護カバー４１を面ファスナ１０１〜１０５及び１０１’〜１０５’に止着させておく。保護カバー４１により面ファスナ１０１〜１０５及び１０１’〜１０５’が埃や汚れの付着から守られるため、面ファスナ１０１〜１０５及び１０１’〜１０５’がおむつ２を固定する性能が低下することが防がれる。また、本発明の実施例に係るおむつ替えマットの使用方法を保護カバー４１の止着面の反対側の面に記載しておくこともできる。【００４０】
図３は、図２に示す本発明の実施例に係るおむつ替えマットの裏面図を示している。予備おむつ入れ６１及び７１はメッシュ素材から作られている略矩形の袋である。予備おむつ入れ７１は、底部７１ｃを主マット下部１１ｃの方向に、開口部７１ａを反対の方向に向けた状態で側部７１ｂが第２周縁部１１ｘにおける主マット上部１１ａの部分に固定されている。予備おむつ入れ７１の側部のうち、第２周縁部１１ｘに固定されていない方の側部７１ｄは自由端となっている。予備おむつ入れ６１も予備おむつ入れ７１と同様に主マット上部１１ａに取り付けられている。予備おむつ入れ６１及び７１をそれぞれ収納状態で固定するための面ファスナ６３及び７３が主マット上部１１ａの裏面に設けられており、これら面ファスナ６３及び７３と係合する面ファスナ６２及び７２が予備おむつ入れ６１及び７１にそれぞれ設けられている。面ファスナ６２及び６３の係合と、面ファスナ７２及び７３の係合とは、ともに脱着可能である。図３においては、予備おむつ入れ６１は収納状態を示し、予備おむつ入れ７１は展開状態を示している。【００４１】
予備おむつ入れ６１及び７１は、それぞれ３枚ずつ、両者で６枚のおむつを収納できる。予備おむつ入れ６１及び７１におむつが収納されており、且つ、予備おむつ入れ６１及び７１が主マット上部１１ａの裏側に収納されているときには、予備おむつ入れ６１及び７１は、主マット上部１１ａとともに枕またはクッションとして機能する。予備おむつ入れ６１及び７１を図１に示すように左右に展開すれば、主マット１１は平らになり、予備おむつ入れ６１及び７１からおむつを取り出すことは容易である。【００４２】
本発明の実施例に係るおむつ替えマットにおいては、滑り止め１１０が主マット１１の裏面の中央部と四隅とにそれぞれ設けられている。滑り止め１１０は、薄くて柔軟なゴムシートを主マット１１の裏面に固着することにより形成されている。主マット１１が床面に対して滑ることが防がれるため、おむつ替えの際に乳幼児１が活発に体を動かしても主マット１１は広げられた状態に維持される。【００４３】
主マット１１の裏面において、第４周縁部１１ｚの保護カバー取り付け用ループ４３が取り付けられている位置には、ボタン４５が取り付けられている。【００４４】
本発明の実施例に係るおむつ替えマットにおいて、主マット１１と延長用マット２１との取り付け状態について図４を用いて説明する。図４においては、主マット１１と延長用マット２１とを表面から見た状態が示されており、予備おむつ入れ６１及び７１は省略されている。主マット上部１１ａの表面において、主マット１１の短辺を形成している第１周縁部１１ｗにはテープ部材２５及び２６が第１周縁部１１ｗに沿って取り付けられている。テープ部材２５及び２６は、それぞれの両端部が主マット上部１１ａに固定されており、テープ部材２５及び２６の両端部以外の部分と主マット上部１１ａとの間には隙間がある。これらの隙間には、テープ部材２３及び２４がそれぞれ通されている。テープ部材２３及び２４の両端部は、延長用マット２１の裏面において、延長用マットの周縁部上側２１ａと周縁部下側２１ｂとにそれぞれ固定されている。テープ部材２３及び２４が主マット１１の長辺方向に張りわたらされているため、延長用マット２１は主マット１１の長辺方向に移動可能である。さらに、延長用マット２１を収納状態（延長していない状態）で主マット上部１１ａに固定するために、面ファスナ２９及び３０が主マット上部１１ａの表面に設けられており、面ファスナ２９及び３０とそれぞれ脱着可能に係合する面ファスナ２７及び２８が延長用マット２１の裏面に設けられている。【００４５】
本発明の実施例に係るおむつ替えマットにおいては、延長用マット２１を引き出すことにより、簡単にマットの長さを調節することができる。したがって、本発明の実施例に係るおむつ替えマットは、体格が異なる複数の乳幼児に対しても使用することができる。このことは、複数の乳幼児をつれて外出する場合に有利である。また、乳幼児の成長に応じてマットの長さを延長することにより、本発明の実施例に係るおむつ替えマットは長期間使用することができる。【００４６】
また、延長用マット２１には、周縁部上側２１ａにおもちゃ取り付け用ループ２２が設けられている。おもちゃ取り付け用ループ２２には、乳幼児１が気に入っているおもちゃ（図示せず）を自由に取り付けることができる。おもちゃにより、乳幼児１の気を引いて楽しませることができるため、おむつの交換作業が容易になる。【００４７】
図５は、図２において枠で囲まれている部分を拡大して示す図である。物入れ３８は、物入れ上部３３と物入れ下部３４とを有している。物入れ上部３３は、略矩形のシート状部材であり、側部３３ｂ及び３３ｄ、並びに底部３３ａの３辺が主マット下部１１ｃの表面に密着して固定されており、残りの１辺は主マット下部１１ｃに固定されずに開口部３３ｃを形成している。物入れ下部３４は、物入れ上部３３と同形状のシート状部材であり、側部３４ｂ及び３４ｄ、並びに底部３３ｃの３辺が主マット下部１１ｃの表面に密着して固定されており、残りの１辺は主マット下部１１ｃに固定されずに開口部３４ａを形成している。物入れ上部３３と物入れ下部３４とは、開口部３３ｃと開口部３４ａとを向かい合わせた状態で隣接して配置されている。物入れ３７は、物入れ上部３１と物入れ下部３２とを有し、物入れ３８と同様に構成されている。物入れ３７と物入れ３８とは、主マット１１の長辺に平行な中心線に対して対称に配置されている。物入れ３７及び３８は、おしり拭きと使用済みおむつを入れるためのごみ袋とを収納可能である。物入れ３７及び３８の形状は、おしり拭きとごみ袋とを片手で一枚ずつ取り出すことを可能にする。おむつを交換する者は、利き手側にある物入れ３７又は３８におしり拭きを収納できる。【００４８】
物入れ３５及び３６について説明する。物入れ３６は、略矩形形状をしており、側部３６ｂ及び３６ｄ、並びに底部３６ｃの３辺が主マット下部１１ｃの表面に密着して固定されており、残りの１辺は主マット下部１１ｃに固定されずに開口部３６ａを形成している。物入れ３５は、物入れ３６と同形状をしており、３辺が主マット下部１１ｃの表面に固定されており、残りの１辺は主マット下部１１ｃに固定されずに開口部を形成している。物入れ３５と物入れ３６とは、主マット１１の長辺に平行な中心線に対して対称に配置されている。物入れ３５及び３６には、簡易パウダー、おむつかぶれの薬、綿棒などのおむつ替えに関する小物はもちろん、耳掃除のための道具などを収納できる。【００４９】
膝用パッド８１及び９１と主マット下部１１ｃとの取り付け状態について説明する。第３周縁部１１ｙの両端に位置する主マット１１の二つのコーナー部分の一方の表面には、テープ部材９３が固定されている。テープ部材９３は、一方の端部が第４周縁部１１ｚに固定されており、他方の端部が第３周縁部１１ｙに固定されており、テープ部材９３の中間部分と主マット下部１１ｃとの間には隙間がある。テープ部材９２は、テープ部材９３の中間部分と主マット下部１１ｃとの間の隙間に通されており、両端が膝用パッド９１の裏面に固定されている。主マット下部１１ｃの表面には、面ファスナ９５及び９６が互いに異なる位置に設けられており、膝用パッド９１の裏面には面ファスナ９５及び９６と脱着可能に係合可能な面ファスナ９４が設けられている。図５は、面ファスナ９４と面ファスナ９５とが係合された状態を示している。膝用パッド８１は、第３周縁部１１ｙの両端に位置する主マット１１の二つのコーナー部分の他方の表面に、膝用パッド９１と同様に取り付けられている。【００５０】
上述の構成から明らかなように、膝用パッド８１及び９１は、主マット下部１１ｃに対して相対的に移動可能である。より具体的には、主マット１１の表面に沿う並進と主マット１１の表面に直交する軸回りの回転とが可能である。さらに、面ファスナにより、膝用パッド８１及び９１を、主マット下部１１ｃの様々な位置（９５又は９６）に止着して脱着可能に固定することができる。したがって、膝用パッド８１及び９１の位置は、おむつを交換する者の体格に合わせて調整することが可能である。おむつ替えマットを使用しないときには、膝用パッド８１及び９１を主マット１１からはみ出さないように収納しておくことが可能である。【００５１】
膝用パッド８１及び９１がクッション性を有しているため、おむつ替えの際のおむつを交換する者の膝の痛みが軽減される。したがって、本発明の実施例に係るおむつ替えマットは、屋外や硬い床の上での使用にも適している。また、おむつを交換する者は、膝用パッド８１及び９１に膝をつくことにより、体重を利用して主マット１１を地面や床等に固定することができる。【００５２】
本発明の実施例に係るおむつ替えマットは、マット本体１０を折りたたんで携行用バッグ５１に収納することが可能である。以下この手順について説明する。【００５３】
図２に示すおむつ替えマットから、おむつ２を取り除く。次に、保護カバー４１を面ファスナ１０１〜１０５及び１０１’〜１０５’に止着する。次に、予備おむつ入れ６１及び７１を主マット上部１１ａの裏側に収納し、膝用パッド８１及び９１を主マット１１からはみ出さないように収納する。次に、主マット下部１１ｃの表面を主マット中央部１１ｂの表面に向かい合わせるように折り畳む。次に、主マット上部１１ａの表面を主マット下部１１ｃの裏面に向かい合わせるように折りたたむ。図６はここまで折り畳んだ状態のおむつ替えマットを示している。【００５４】
さらに、主マット上部１１ａの裏面が内側になるように、ベルト４４が取り付けてある部分と保護カバー取り付け用ループ４３が取り付けてある部分とを重ね合わせ、ベルト４４のボタンホールにボタン４５を留める。図７はボタンを留めた状態のおむつ替えマットを示している。【００５５】
最後に、携行用バッグ５１にマット本体１０を収納する。図８は、携行用バッグ５１にマット本体１０を収納した状態のおむつ替えマットを示している。携行用バッグ５１の開口部５２はスライドファスナにより開閉自在となされている。さらに、開口部５２を開閉するスライダ５４が２つあるために、マット本体１０の収納と取出しとを容易に行うことができる。また、携行用バッグ５１には持ち手５３が取り付けられている。したがって、本発明の実施例に係るおむつ替えマットは、図８に示す状態で手に提げて携行してもよく、また、別のカバンに入れて携行する場合でも、持ち手５３があるためにカバンから容易に取り出すことができる。【００５６】
本発明の実施例に係るおむつ替えマットにおいては、乳幼児を片手で抱きかかえながら、もう片方の手で携行用バッグ５１からマット本体１０を取りだして展開することと、マット本体１０を畳んで携行用バッグ５１に収納することとが可能である。【００５７】
本発明の実施例に係るおむつ替えマットは、洗濯が可能となされている。また、主マット１１、延長用マット２１、及び物入れ３５〜３８等の表面に防水加工を施しておけば、汚れをその場でふき取ることが可能である。本発明の実施例に係るおむつ替えマットは、常に清潔な状態で使用することができる。【００５８】
本発明の実施例に係るおむつ替えマットを使用すれば、面ファスナ１０１〜１０５及び１０１’〜１０５’をおむつを置く場所の目印にすることができ、おむつが展開された状態で固定されるので、初めて子供を持った父親のようにおむつ替えに慣れていない人であっても容易におむつを交換することができる。父親は、子育ての最初の段階で上手におむつ替えをすることにより、子育てに自信を持つことができる。その結果、父親と子供が触れ合う時間が増加する。【００５９】
本発明の実施例に係るおむつ替えマットは、乳幼児のみならず、病人、老人のような成人のおむつ交換にも使用することができる。
【図１】
2007015340.tif 000002
【図２】
2007015340.tif 000003
【図３】
2007015340.tif 000004
【図４】
2007015340.tif 000005
【図５】
2007015340.tif 000006
【図６】
2007015340.tif 000007
【図７】
2007015340.tif 000008
【図８】
2007015340.tif 000009
【国際調査報告】
2007015340.tif 000010
2007015340.tif 000011
2007015340.tif 000012
2007015340.tif 000013